(57)【要約】      （修正有）【課題】手の甲に、長時間化粧料を接触させることができ、かつ、使い捨て可能な健康手袋を提供する。【解決手段】使い捨て可能な手袋１の内側に、化粧水等の化粧料を保持することが可能なシート２を、少なくとも手の甲に接触し得るように配する。手袋本体開口部の手の甲側の端部及び／又はその近傍と前記シート２を固着する。上記のシートに化粧水を保持させれば、化粧水等の化粧料に含有されている栄養分等を、手の甲等に容易に付与することができる。また、長時間皮膚とシートが接触するので、使用する高価な化粧料の量を最小限に押さえることができる上、保温効果と相俟って化粧料の効果を最大限に発揮することができ、しかもその間、触れたものを汚すことなく別の作業をすることもできるので極めて便利であり、また経済的でもある。【選択図】図１
0003166813.tif 000002
【実用新案登録請求の範囲】
【請求項１】
安価な非水透過性シートからなる手袋であって、内部に少なくとも手の甲と接触し得るシートが配されていると共に、該シートが、化粧料を含有し得るシートであり且つ該化粧料によって溶解しないシートであることを特徴とする健康手袋。
【請求項２】
前記シートが、手の甲のみならず指の背にも接触し得る形状のシートである、請求項１に記載された健康手袋。
【請求項３】
前記シートが、その先端部に、手の指が入り得る袋状部分又は折り返し部分を有するか、指先に固定するための紐を有する、請求項２に記載された健康手袋。
【請求項４】
前記袋状部分又は折り返し部分が、少なくとも手の平に達する大きさを有する、請求項３に記載された健康手袋。
【請求項５】
前記袋状部分又は折り返し部分が、手の平をカバーする大きさを有する、請求項４に記載された健康手袋。
【請求項６】
前記シートが、手袋外部に飛び出して無くなることがないように、少なくともその1部が手袋本体に固着されている、請求項１〜５の何れかに記載された健康手袋。
【請求項７】
前記固着が、ヒートシールでなされている、請求項６に記載された健康手袋。
【請求項８】
前記シートが、少なくとも手の甲に付与し得る化粧料を含有している、請求項１〜７の何れかに記載された健康手袋。
【考案の詳細な説明】
【技術分野】
【０００１】
本考案は健康手袋に関し、特に手の甲に化粧水や美容液等の化粧料を供給するのに好適な、安価な健康手袋に関する。
【背景技術】
【０００２】
経済成長に伴って、化粧品の使用が急速に拡大してきたが、更に近年の急速な高齢化に対応して、加齢による皮膚の劣化を補うための化粧品も数多く上市されるに至っている。しかしながら、高齢者等が簡単に、化粧水や美容液等の化粧料を適量使用するに適した道具は知られていない。
【０００３】
例えば、液状、ペースト状、ゲル状又は粉状の化粧料が担持された、簡易使用タイプで、手指を包むように構成されてなる、使い捨て自在の化粧用具が提案されている（特許文献１）。この用具は、使い易い一方ではずれ易く、また、水溶液等の液状の化粧料を使用する場合には、触ったものを汚すという欠点があり、この用具を装着している場合には作業することが困難であるという欠点もあった。
【０００４】
そこで本考案者は、手の甲等に容易に且つ長時間化粧水を付与することができる上、その間に作業をすることもできる用具について鋭意検討した結果、使い捨ても可能な手袋の内側に、手の甲や指等に接触し得る、化粧水等の化粧料を保持することが可能なシートを内蔵させた場合には、該シートに化粧料を適量含浸させることによって、触ったものを汚すことなく、手の甲や指等に容易に化粧料を付与することができることを見出し、本考案を完成させた。
【考案の概要】
【考案が解決しようとする課題】
【０００５】
したがって本考案の目的は、少なくとも手の甲に、長時間化粧水を接触させることができる、使い捨ても可能な健康手袋を提供することにある。
【課題を解決するための手段】
【０００６】
即ち本考案は、使い捨て可能な手袋の内側に、化粧水等の化粧料を保持することが可能なシートを、少なくとも手の甲に接触し得るように配してなることを特徴とする使い捨て可能な健康手袋である。本考案においては、特に、手袋本体開口部の手の甲側の端部及び/又はその近傍と前記シートが固着されていることが好ましく、特に、ヒートシールによって固着されていることが好ましい。
【考案の効果】
【０００７】
本考案の健康手袋の内側に配したシートに化粧水を保持させれば、化粧水等の化粧料に含有されている栄養分等を、手の甲等に容易に付与することができる。また、長時間皮膚とシートが接触するので、使用する高価な化粧料の量を最小限に押さえることができる上、保温効果と相俟って化粧料の効果を最大限に発揮することができ、しかもその間、触れたものを汚すことなく別の作業をすることもできるので極めて便利であり、また経済的でもある。更に、この健康手袋は就寝時に使用することもできる上、使い捨て可能とすることによって手を清潔に保てるため、特に高齢者用として、或いは病気療養中の患者用として好適である。
【図面の簡単な説明】
【０００８】
【図１】本発明の健康手袋の1例を示す平面図である。
【図２】図1の健康手袋内部のシートを外部に引き出した図である。
【図３】手の甲に接触するシートを手袋内部に接着させた、本発明の他の例である。
【図４】シートが指の背から離れないように、シートの先端部を、指先を収容する袋状にした例である。
【考案を実施するための形態】
【０００９】
以下、本考案を実施例に基づいて説明する。
図1は本考案の健康手袋の１例を示す平面図である。図1における符号１は手袋本体であり、点線部２は、手袋本体内部に収納された、化粧水や美容液等の化粧料を保持し得る手の形状をしたシート、３は手袋本体とシートの接着部である。
【００１０】
本発明の健康手袋内部に配されるシートには、化粧水や美容液等の化粧料を保持させるので、手袋本体は水分を透過させない高分子シートで作製する。この高分子シートは特に制限されるものではないが、使い捨てとするために、ポリエチレンやポリプロピレン等の安価な材料を使用することが好ましい。
【００１１】
化粧料を保持するシートは、化粧料を保持することができる限り特に限定されるものではないが、化粧料中の水分によって容易に溶解することのないことが必要である。このようなシートは、紙状、布状、不織布状、又はスポンジ状の何れであっても良いが、使い捨てとするために、安価な材料を使用することが好ましい。
【００１２】
上記手袋本体内部に配されるシートの形状は、少なくとも手の甲に対応する形状であることが必要であるが、手の甲全体が実質的にカバーされることが好ましく、手袋本体の形状に合わせて、５本の指がある場合にはその形状、親指以外の４本を一体とする手袋である場合にはその形状とすることが好ましい。手袋をひっくり返して装着すれば、手のひら側に化粧料を供給することもできることは当然である。
【００１３】
手袋本体内部のシートは、単に手袋本体内部に収納されているだけでも良いが、手袋の外部に飛び出してなくなることがないように、少なくとも1箇所で、手袋本体と結合し固着されていることが好ましい。上記結合は接着剤によって為されても良いが、特に安価で簡便であるという観点からヒートシールできる材料を選択し、加熱によって接着させることが好ましい。図１の符号３は、この接着部を示す。
【００１４】
図２は、図１の手袋本体内部に配されるシートが、手袋本体の外部に出ている状態を示す図である。図中の符号３は、手袋本体とシートの接着部である。この接着部は、手と直接接して違和感を生じないように、手袋本体の外部にあることが好ましい。手袋本体とシートとの接着は、前記したように適宜接着剤を介して行うことができるが、手袋本体及びシートの材質を選択することにより、ヒートシールしたり、マジックテープ（登録商標）やチャック方式で固着したりすることもできる。
【００１５】
図３は、親指以外の４本の指を一緒に収納する手袋に使用する場合のシートである。図に示したように、手袋本体の内部でシートが動いて脇に寄らないように、指の先を収納できる袋状部分４をシート先端部に設けたり、袋の代わりに、単に折り返したり、紐やゴム紐を設けたりしても良い。５本指のシートの場合にも、シートの指の先端に、同様に袋状部分やゴム紐等を設けても良いことは当然である。
また、上記の袋や折り返しを手のひら側にまで大きく延ばしても良い。この様にすることによって、手の平や、手のひら側の関節のシワにも化粧料を付与することができる。
【００１６】
本考案で使用するシートは、前記したように必ずしも手の甲から指先まで覆う必要はなく、手の甲部分だけ覆っても良い（図４）。この場合には、両面接着シート等の接着材や塗布型の接着剤を介して、手袋本体の内側に固定することが好ましい。
【００１７】
本発明の健康手袋を使用する場合には、手袋本体内部の、少なくとも手の甲と接触するシート部分に適宜化粧水又は美容液等の化粧料を適量供給して使用すれば良いが、予め適量の該化粧料を、シート全体又はシートの必要箇所に保持させておいても良い。この場合には、シートと手袋本体を密着させるだけで、接着剤等による固着手段を事実上不要とすることも可能であり、本考案の健康手袋はこのような態様をも包含する。
【産業上の利用可能性】
【００１８】
本考案の健康手袋は、内部に有するシートに含有させた化粧料を、少なくとも手の甲に付与することができ、しかもその化粧料で手袋外部のものを汚すこともないので、例えば、作業することが可能な高齢者等の手の管理や、病床における患者の手の管理等に有効であり、産業上極めて有用である。
【符号の説明】
【００１９】
１    手袋本体
２    手袋本体内部に配されたシート
３    シートと手袋本体の固着部
４    袋状部分
【図１】
0003166813.tif 000003
【図２】
0003166813.tif 000004
【図３】
0003166813.tif 000005
【図４】
0003166813.tif 000006